(57)【要約】【課題】水耕栽培用ベッドをユニット化しつつ、組み立てたベッド上で植栽パネルが養液に接することなく、かつパネルの玉突き移動に支障をきたさないようパネル載置部の高さが一定に保たれる水耕栽培用ベッドユニットの作成を目的とする。【解決手段】対向する二枚の側板２２と、前記二枚の側板２２を接続する底板２１と、前記側板に張り合わされ植物を植栽する植栽パネル６が載置されるパネル載置部２３ｐを備える補強板２３とを備え、一方向に少なくとも２つ以上連結することで水耕栽培用ベッド1を形成する水耕栽培用ベッドユニット２を作成する。【選択図】図１
2017212939.tif 000002
【特許請求の範囲】
【請求項１】
対向する二枚の側板と、
前記二枚の側板を接続する底板とを備え、
一方向に少なくとも２つ以上連結することで水耕栽培用ベッドを形成する水耕栽培用ベッドユニットにおいて、
前記側板に張り合わされ、植物を植栽する植栽パネルが載置されるパネル載置部を備える補強板と、
前記側板、底板及び補強板に連結部とを有し、
前記連結部同士を連結することで、水耕栽培用ベッドを形成することを特徴とする水耕栽培用ベッドユニット。
【請求項２】
前記二枚の側板の間にもうけられ、
前記底板から前記側板と平行かつ、前記パネル載置部と略水平となる高さまで延びるパネル支持部を備えている、
ことを特徴とする請求項１に記載の水耕栽培用ベッドユニット。
【請求項３】
前記連結部は、前記側板、底板及び補強板を当接する当接面を有し、
前記当接面のうち、少なくとも補強板の当接面の端部は面取り加工されている
ことを特徴とする請求項１または２のいずれかに記載の水耕栽培用ベッドユニット。
【請求項４】
請求項１乃至３のいずれかに記載の水耕栽培用ベッドユニットを一方向に少なくとも２つ以上連結して形成される
水耕栽培用ベッド。
【発明の詳細な説明】
【技術分野】
【０００１】
本願発明は、植物工場などで野菜の栽培に用いられる水耕栽培用ベッドと該水耕栽培用ベッドを形成する水耕栽培用ベッドユニットに関する。
【背景技術】
【０００２】
植物工場などの水耕栽培では、水耕栽培用ベッドに植栽パネルを複数枚載置して、水耕栽培用ベッドの一端側から他端側へと玉突き移動させながら、水耕栽培用ベッドの終端部で収穫する方法が一般に採られている。この水耕栽培用ベッドは、栽培規模が大きくなるにつれ一方向に長くなる傾向がある。
【０００３】
水耕栽培用ベッドの全長が長くなると、ベッドを複数のユニットに分割して運搬し、現場で組み立てる方法が考えられる。
たとえば、下記特許文献１に記載の植物栽培槽は端部ユニットと接続ユニットとユニット間を連結する接続片から構成されており、下記特許文献２に記載の水耕栽培装置は複数の水槽分割部材から構成されている。
【０００４】
特許文献１では、各ユニット間の接続部を接続片で被着し、連結部分に形成される隙間部をシリコン防水剤等の隙間埋め部材からなる防水層でふさいで栽培槽を構成している。植物育成用の栽培棚は各ユニットの段部に架け渡すように載置されるが、この時、ユニット間の防水層で凹凸が生じると、段部の高さが一定でなくなるため載置された植物育成用の栽培棚をスムーズに玉突き移動することが困難になる。
【０００５】
特許文献２では、定植板を水槽の上に直接載置しており、移動用のレールなどを備えていないことから、定植板の玉突き移動は養液の水面に浮かせる方法が想定される。一般に植物の栽培に用いられる養液は植物プランクトン等の微生物の栄養源にもなりうるため、衛生管理の観点からすると、養液が定植板に接触する方法は好ましくない。
【先行技術文献】
【特許文献】
【０００６】
【特許文献１】実用新案登録第３１８８７０号公報
【特許文献２】WO２０１３／１２８５９３
【発明の概要】
【発明が解決しようとする課題】
【０００７】
そこで本願発明では、水耕栽培用ベッドをユニット化しつつ、組み立てたベッド上で植栽パネルが養液に接することなく、かつパネルの玉突き移動に支障をきたさないようパネル載置部の高さが一定に保たれる水耕栽培用ベッドユニットの作成を目的とする。
【課題を解決するための手段】
【０００８】
請求項１の発明は、対向する二枚の側板と、前記二枚の側板を接続する底板とを備え、一方向に少なくとも２つ以上連結することで養液が供給され植物を植栽する植栽パネルが載置される水耕栽培用ベッドを形成する水耕栽培用ベッドユニットにおいて、前記側板に張り合わされ、植物を植物する植栽パネルが載置されるパネル載置部を備える補強板と、前記側板、底板及び補強板を連結する連結部とを有し、前記連結部を介して連結することで、水耕栽培用ベッドを形成することを特徴とする。
【０００９】
請求項１の発明によれば、底板からパネル載置部までの高さは、補強板の高さで一定に保たれる。したがって、同じ高さの補強板を備えた水耕栽培用ベッドユニット同士を連結して形成された水耕栽培用ベッドは、始端から終端までパネル載置部の高さが一定に保たれ、植栽パネルの玉突き移動に支障をきたさない。
【００１０】
また、請求項１の発明では、二枚の側板に補強板が貼りあわされることによって、側面が肉厚状となる。一般に水耕栽培用ベッドには養液からの水圧がかかるため、長期間使用すると応力で側板が外側にたわんでくる。肉厚状の側面を備えることで、側板にかかる応力が小さくなり、その結果水耕栽培用ベッドを長期間使用しても変形を生じない。
【００１１】
請求項２の発明は、請求項１に記載の水耕栽培用ベッドユニットであって、前記二枚の側板の間にもうけられ、前記底板から前記側板と平行かつ、前記パネル載置部と略水平となる高さまで延びるパネル支持部を備えていることを特徴とする。
【００１２】
請求項２の発明によれば、パネル支持部によって植栽パネルが下方向から支えられ、植栽パネルが自重によって下向きに変形することを防止できる。植栽パネルを玉突き移動するためには、同じ幅の植栽パネルが載置されている必要があるため、植栽パネルの変形を防止することで、長期間の使用が可能となる。
【００１３】
請求項３の発明は、請求項１または２のいずれかに記載の水耕栽培用ベッドユニットであって前記連結部は、前記側板、底板及び補強板を当接する当接面を有し、前記当接面のうち、少なくとも補強板の当接面の端部は面取り加工されていることを特徴とする。
【００１４】
高低差が生じると連結部に凹凸が生じ、植栽パネルが連結部に衝突して玉突き移動が妨げられる。請求項３の発明によれば、補強板の当接面の端部が面取り加工されることで、水耕栽培用ベッドを組み立てる際に隣接するベッドユニット間に若干の高低差が生じた場合も、パネル載置部の連結部に植栽パネルが衝突することなく終端側の水耕栽培用ベッドユニット上に移動できる。
【００１５】
請求項４の発明は、請求項１乃至３のいずれかに記載の水耕栽培用ベッドユニットを一方向に少なくとも２つ以上連結して形成される水耕栽培用ベッドである。
【００１６】
請求項４の発明は、植栽パネルの玉突き移動に支障をきたさない水耕栽培用ベッドである。
【図面の簡単な説明】
【００１７】
【図１】本発明の一実施の形態に係る水耕栽培用ベッドの平面図。
【図２】水耕栽培用ベッドの正面図。
【図３】図１の水耕栽培用ベッドの一部（始端側）を拡大した平面図。
【図４】図３に示したI−I線に沿った断面図。
【図５】図３に示したII−II線に沿った断面図。
【図６−Ａ】図６−Ａ、図６−Ｂ、図６−Ｃは植栽パネルの一連の動作を示す水耕栽培用ベッドの斜視図であり、図６−Ａは新しい植栽パネルを水耕栽培用ベッドに載置する前の図。
【図６−Ｂ】新しい植栽パネルを水耕栽培用ベッドに載置している最中を示す斜視図。
【図６−Ｃ】新しい植栽パネルを水耕栽培用ベッドに載置し終えた後を示す斜視図。
【図６−Ａ（２）】図６−Ａの拡大図。
【図６−Ｂ（２）】図６−Ｂの拡大図。
【図７】水耕栽培用ベッドユニットの斜視図。
【図８】図７に示したIII線の部分を拡大した図。
【発明を実施するための形態】
【００１８】
以下、本発明の実施の形態について、図面を参照しつつ説明する。
【００１９】
本発明の実施形態に係る水耕栽培用ベッド１は、図１および図２に示すように、複数の水耕栽培用ベッドユニット２を一方向に連結し、始端側と終端側に端部壁３を有している。図示していないが、水耕栽培用ベッド１の内部には、栽培用の養液が貯留される。始端側と終端側の水耕栽培用ベッドユニット２の底板２１にはパイプ孔２１ｈがもうけられており、給水パイプ４と排水パイプ５を水耕栽培用ベッド１の外部から内部に導入できるようになっている。栽培時には、図１に示すように、植物体７を植栽した植栽パネル６を複数枚載置する。
【００２０】
水耕栽培用ベッドユニット２は、図３に示すように、底板２１と、対向する２枚の側板２２と、側板に張り合わされた補強板２３と、パネル支持部２４とを備えている。  底板２１と側板２２と補強板２３とには、それぞれ底板連結部２１ａ、側板連結部２２ａ、補強板連結部２３ａを備えており、水耕栽培用ベッド１を形成する際に底板連結部２１ａ、側板連結部２２ａ、補強板連結部２３ａは隣接する水耕栽培用ベッドユニット２に接着される。
補強板２３の上部には、パネル載置部２３ｐを備えており、植栽パネル６が載置される。
パネル支持部２４は、対向する補強板２３の間にもうけられており、側板２２と平行になるように底板２１から上方に向けて延び、その高さはパネル載置部２３ｐと略水平である。
【００２１】
端部壁３は、図４および図５に示すように、養液に接する面に水流抑止板３１を有し、また、上部を切り欠いてパネル用凹部３２が形成されている。
パネル用凹部３２の寸法は植栽パネル６の寸法に対応しており、パネル用凹部３２の幅は植栽パネル６の辺の内、水耕栽培用ベッド１に載置した際にベッドの長手方向と垂直な辺の長さと等しく、また端部壁３の上端からパネル用凹部３２の上端までは植栽パネル６の厚みと等しい。
【００２２】
植栽パネル６を水耕栽培用ベッド１上に載置すると、図４に示すように、各水耕栽培用ベッドユニット２のパネル載置部２３ｐとパネル支持部２４の少なくとも３か所で下から支持される。植物体７を載せた植栽パネル６は、植栽パネル６の自重と植物体の重さで下向きにたわんでくるが、３か所で支持されることでこの下向きのたわみが防止される。
【００２３】
また、補強板２３を側板２２に張り合わすことで、水耕栽培用ベッド１の側面を肉厚状にする効果がある。水耕栽培時には水耕栽培用ベッド１の内側に養液が供給され、水耕栽培用ベッドの側面には養液の水圧がかかるが、側面が肉厚状となることでこの応力が小さくなり、側板２２が外側にたわむのを防ぐことができる。
【００２４】
次に、図６−Ａ、図６−Ｂ、図６−Ｃ、図６−Ａ（２）および図６−Ｂ（２）を参照して、水耕栽培用ベッド１上における植栽パネル６の玉突き移動について解説する。
【００２５】
図６−Ａに示すように、水耕栽培用ベッド１には複数枚の植栽パネル６が載置されている。植栽パネル６の始端側の面は、図６−Ａ（２）に示すように、端部壁３のパネル用凹部３２にはまっている。
【００２６】
新しい植栽パネル６を載置する場合は、図６−Ｂおよび図６−Ｂ（２）に示すように、始端側のパネル用凹部３２に沿わせて新しい植栽パネル６を嵌めこみ、水耕栽培用ベッド１の終端側に向けて押し出す。
このとき、パネル載置部２３ｐが、水耕栽培用ベッド１の始端側から終端側まで連続して形成されており、植栽パネル６はこの連続したパネル載置部２３ｐ上を始端側から終端側に植栽パネル１枚分の距離を玉突き移動される。終端側に載置されていた植栽パネル６は、終端側の端部壁３のパネル用凹部３２に沿って水耕栽培用ベッド１の外部に押し出され、ここで収穫される。
【００２７】
植栽パネルの玉突き移動をスムーズにする観点から、パネル載置部２３ｐとパネル支持部２４と植栽パネル６の素材は摩擦係数が小さいものが好ましい。さらに、パネル載置部２３ｐに、例えば、摩擦低減用のテープ等を張って植栽パネル６の玉突き移動を補助することもできる。
【００２８】
次に養液の給排水について、図１、図２および図５を参照しつつ解説する。
【００２９】
一般的に、植物の生育の観点から、養液の成分は水耕栽培用ベッドの内部で均一であることが望ましく、一方向に長い水耕栽培用ベッドの場合、養液の流れはベッドに対し、水平方向であることが好ましい。
【００３０】
本実施形態では、図５に示すように、養液を給水する給水パイプ４が、水耕栽培用ベッド１の外部から、始端側の底板２１のパイプ孔２１ｈを通じて、水耕栽培用ベッド１の内部に導入される。このとき、パイプ孔２１ｈの直上に、端部壁３が有する水流抑止板３１がもうけられている。
【００３１】
水耕栽培用ベッド１内に流入した養液は、給水パイプ４を通じて水耕栽培用ベッド１の内部に流入するが、このとき水流は図５中に示した矢印のように水耕栽培用ベッド１の下から上向きとなる。端部壁３にもうけられた水流抑止板３１に衝突し、水流は水耕栽培用ベッド１の水平方向に変化し、水耕栽培用ベッド１で拡散する。
【００３２】
水耕栽培用ベッド１の終端側の底板２１にも、図１および図２に示すように、パイプ孔２１ｈがもうけられており、このパイプ孔２１ｈから排水パイプ５が水耕栽培用ベッド内に導入されている。水耕栽培用ベッド１内に拡散した養液は、この排水パイプ５を通じて外部に排出される。
【００３３】
水耕栽培用ベッド１の素材は、養液の成分によって変質しにくく、かつ溶け出して養液の成分に影響を与えにくいもの、例えば、硬質塩化ビニル等の合成樹脂などを用いる。これは、養液の成分が植物の生長に影響を与える因子であり、とくに、植物工場等の大規模栽培の場合は、計画的かつ安定した栽培と収穫量が求められるため、養液の成分の安定性が求められるためである。
【００３４】
なお、水耕栽培用ベッド１の作成に用いる水耕栽培用ベッドユニット２を、実施者は任意で増減し栽培スペースの大きさにあわせて水耕栽培用ベッド１の長さを変えることができる。
【００３５】
次に、図７および図８を参照して水耕栽培用ベッドユニットの連結部を解説する。図７は、水耕栽培用ベッドユニット２の斜視図であり、図８は図７中にIII線で示した部分を拡大した図である。
【００３６】
水耕栽培用ベッドユニット２は底板２１、側板２２、補強板２３はそれぞれ底板連結部２１ａ、側板連結部２２ａ、補強板連結部２３ａ備えている。底板連結部２１ａ、側板連結部２２ａ、補強板連結部２３ａはそれぞれ、隣接する水耕栽培用ベッドユニット２と接する底板当接面２１ｂ、側板当接面２２ｂ、補強板当接面２３ｂを持つ。
【００３７】
図８に示すように、底板当接面２１ｂ、側板当接面２２ｂ、補強板当接面２３ｂの辺のうち、水耕栽培用ベッド１の内側にあたる辺を削って底板接着用ミゾ２１ｄ、側板接着用ミゾ２２ｄ、補強板接着用ミゾ２３ｄが形成されている。また、補強板当接面２３ｂの上端部には、面取り加工を施して補強板カット部２３ｃが形成されている。
【００３８】
水耕栽培用ベッドユニット２同士を連結する際には、底板接着用ミゾ２１ｄ、側板接着用ミゾ２２ｄ、補強板接着用ミゾ２３ｄに接着剤や溶接を施す。この接着方法は、水耕栽培用ベッドユニット２の素材に応じて実施者により選択される。
【００３９】
水耕栽培用ベッドユニット２同士の高さに差が生じると、玉突き移動の際に植栽パネル６が終端側の補強板当接面２３ｂに衝突する恐れがあるが、補強板カット部２３ｃを設けることでこれを回避することができる。
【００４０】
以上、実施の形態を挙げて本願発明を説明したが、本願発明は上記実施の形態に限定されるものではなく、種々変形可能である。
【産業上の利用可能性】
【００４１】
植物工場等に設置されてレタス等の水耕栽培を行う分野、とりわけ数千株から数万株の栽培を行う大規模な植物工場において広く利用可能である。
【符号の説明】
【００４２】
１  水耕栽培用ベッド
２  水耕栽培用ベッドユニット
２１  底板
２１ａ  底板連結部
２１ｂ  底板当接面
２１ｄ  底板接着用ミゾ
２１ｈ  パイプ孔
２２  側板
２２ａ  側板連結部
２２ｂ  側板当接面
２２ｄ  側板接着用ミゾ
２３  補強板
２３ａ  補強板連結部
２３ｂ  補強板当接面
２３ｃ  補強板カット部
２３ｄ  補強板接着用ミゾ
２３ｐ  パネル載置部
２４  パネル支持部
３  端部壁
３１  水流抑止板
３２  パネル用凹部
４  給水パイプ
５  排水パイプ
６  植栽パネル
７  植物体
【図１】
2017212939.tif 000003
【図２】
2017212939.tif 000004
【図３】
2017212939.tif 000005
【図４】
2017212939.tif 000006
【図５】
2017212939.tif 000007
【図６−Ａ】
2017212939.tif 000008
【図６−Ｂ】
2017212939.tif 000009
【図６−Ｃ】
2017212939.tif 000010
【図６−Ａ（２）】
2017212939.tif 000011
【図６−Ｂ（２）】
2017212939.tif 000012
【図７】
2017212939.tif 000013
【図８】
2017212939.tif 000014
【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
水耕栽培用ベッドユニットを一方向に少なくとも２つ以上、接着剤又は溶接を施すことで連結して形成される水耕栽培用ベッドであって、
前記水耕栽培用ベッドユニットは、
対向する二枚の側板と、
前記二枚の側板を接続する底板と、
前記側板に張り合わされ、植物を植栽する植栽パネルが載置されるパネル載置部を備える補強板とを備え、
前記側板、底板及び補強板は、隣接する水耕栽培用ベッドユニットと接する当接面を有し、 
前記補強板の当接面の上端部には、面取り加工を施した補強板カット部が形成されており、 
前記補強板カット部は、接着剤又は溶接が施される補強板接着用ミゾを有する
ことを特徴とする水耕栽培用ベッド。
【請求項２】
前記側板および前記底板が有する当接面の辺のうち、水耕栽培用ベッドの内側にあたる辺には、接着剤又は溶接が施される側板接着用ミゾおよび底板接着用ミゾが形成されている、
ことを特徴とする水耕栽培用ベッド。
【請求項３】
前記水耕栽培用ベッドユニットの、
前記二枚の側板の間にもうけられ、
前記底板から前記側板と平行かつ、前記パネル載置部と略水平となる高さまで延びるパネル支持部を備えている、
ことを特徴とする請求項１に記載の水耕栽培用ベッド。
【手続補正２】
【補正対象書類名】明細書
【補正対象項目名】全文
【補正方法】変更
【補正の内容】
【発明の詳細な説明】
【技術分野】
【０００１】
本願発明は、植物工場などで野菜の栽培に用いられる水耕栽培用ベッドに関する。
【背景技術】
【０００２】
植物工場などの水耕栽培では、水耕栽培用ベッドに植栽パネルを複数枚載置して、水耕栽培用ベッドの一端側から他端側へと玉突き移動させながら、水耕栽培用ベッドの終端部で収穫する方法が一般に採られている。この水耕栽培用ベッドは、栽培規模が大きくなるにつれ一方向に長くなる傾向がある。
【０００３】
水耕栽培用ベッドの全長が長くなると、ベッドを複数のユニットに分割して運搬し、現場で組み立てる方法が考えられる。
たとえば、下記特許文献１に記載の植物栽培槽は端部ユニットと接続ユニットとユニット間を連結する接続片から構成されており、下記特許文献２に記載の水耕栽培装置は複数の水槽分割部材から構成されている。
【０００４】
特許文献１では、各ユニット間の接続部を接続片で被着し、連結部分に形成される隙間部をシリコン防水剤等の隙間埋め部材からなる防水層でふさいで栽培槽を構成している。植物育成用の栽培棚は各ユニットの段部に架け渡すように載置されるが、この時、ユニット間の防水層で凹凸が生じると、段部の高さが一定でなくなるため載置された植物育成用の栽培棚をスムーズに玉突き移動することが困難になる。
【０００５】
特許文献２では、定植板を水槽の上に直接載置しており、移動用のレールなどを備えていないことから、定植板の玉突き移動は養液の水面に浮かせる方法が想定される。一般に植物の栽培に用いられる養液は植物プランクトン等の微生物の栄養源にもなりうるため、衛生管理の観点からすると、養液が定植板に接触する方法は好ましくない。
【先行技術文献】
【特許文献】
【０００６】
【特許文献１】実用新案登録第３１８８７０号公報
【特許文献２】WO２０１３／１２８５９３
【発明の概要】
【発明が解決しようとする課題】
【０００７】
そこで本願発明では、水耕栽培用ベッドをユニット化しつつ、組み立てたベッド上で植栽パネルが養液に接することなく、かつパネルの玉突き移動に支障をきたさないようパネル載置部の高さが一定に保たれる水耕栽培用ベッドユニットの作成を目的とする。
【課題を解決するための手段】
【０００８】
請求項１の発明は、水耕栽培用ベッドユニットを一方向に少なくとも２つ以上、接着剤又は溶接を施すことで連結して形成される水耕栽培用ベッドであって、前記水耕栽培用ベッドユニットは、対向する二枚の側板と、前記二枚の側板を接続する底板と、前記側板に張り合わされ、植物を植栽する植栽パネルが載置されるパネル載置部を備える補強板とを備え、前記側板、底板及び補強板は、隣接する水耕栽培用ベッドユニットと接する当接面を有し、 前記補強板の当接面の上端部には、面取り加工を施した補強板カット部が形成されており、 前記補強板カット部は、接着剤又は溶接が施される補強板接着用ミゾを有する、
ことを特徴とする。
【０００９】
請求項１の発明によれば、底板からパネル載置部までの高さは、補強板の高さで一定に保たれる。したがって、同じ高さの補強板を備えた水耕栽培用ベッドユニット同士を連結して形成された水耕栽培用ベッドは、始端から終端までパネル載置部の高さが一定に保たれ、植栽パネルの玉突き移動に支障をきたさない。
【００１０】
また、請求項１の発明では、二枚の側板に補強板が貼りあわされることによって、側面が肉厚状となる。一般に水耕栽培用ベッドには養液からの水圧がかかるため、長期間使用すると応力で側板が外側にたわんでくる。肉厚状の側面を備えることで、側板にかかる応力が小さくなり、その結果水耕栽培用ベッドを長期間使用しても変形を生じない。
【００１１】
請求項２の発明は、前記側板および前記底板が有する当接面の辺のうち、水耕栽培用ベッドの内側にあたる辺には、接着剤又は溶接が施される側板接着用ミゾおよび底板接着用ミゾが形成されている、
ことを特徴とする。
【００１２】
請求項３の発明は、請求項１に記載の水耕栽培用ベッドであって、前記水耕栽培用ベッドユニットの、前記二枚の側板の間にもうけられ、前記底板から前記側板と平行かつ、前記パネル載置部と略水平となる高さまで延びるパネル支持部を備えている、
ことを特徴とする。
【００１３】
請求項３の発明によれば、パネル支持部によって植栽パネルが下方向から支えられ、植栽パネルが自重によって下向きに変形することを防止できる。植栽パネルを玉突き移動するためには、同じ幅の植栽パネルが載置されている必要があるため、植栽パネルの変形を防止することで、長期間の使用が可能となる。
【図面の簡単な説明】
【００１４】
【図１】本発明の一実施の形態に係る水耕栽培用ベッドの平面図。
【図２】水耕栽培用ベッドの正面図。
【図３】図１の水耕栽培用ベッドの一部（始端側）を拡大した平面図。
【図４】図３に示したI−I線に沿った断面図。
【図５】図３に示したII−II線に沿った断面図。
【図６−Ａ】図６−Ａ、図６−Ｂ、図６−Ｃは植栽パネルの一連の動作を示す水耕栽培用ベッドの斜視図であり、図６−Ａは新しい植栽パネルを水耕栽培用ベッドに載置する前の図。
【図６−Ｂ】新しい植栽パネルを水耕栽培用ベッドに載置している最中を示す斜視図。
【図６−Ｃ】新しい植栽パネルを水耕栽培用ベッドに載置し終えた後を示す斜視図。
【図６−Ａ（２）】図６−Ａの拡大図。
【図６−Ｂ（２）】図６−Ｂの拡大図。
【図７】水耕栽培用ベッドユニットの斜視図。
【図８】図７に示したIII線の部分を拡大した図。
【発明を実施するための形態】
【００１５】
以下、本発明の実施の形態について、図面を参照しつつ説明する。
【００１６】
本発明の実施形態に係る水耕栽培用ベッド１は、図１および図２に示すように、複数の水耕栽培用ベッドユニット２を一方向に連結し、始端側と終端側に端部壁３を有している。図示していないが、水耕栽培用ベッド１の内部には、栽培用の養液が貯留される。始端側と終端側の水耕栽培用ベッドユニット２の底板２１にはパイプ孔２１ｈがもうけられており、給水パイプ４と排水パイプ５を水耕栽培用ベッド１の外部から内部に導入できるようになっている。栽培時には、図１に示すように、植物体７を植栽した植栽パネル６を複数枚載置する。
【００１７】
水耕栽培用ベッドユニット２は、図３に示すように、底板２１と、対向する２枚の側板２２と、側板に張り合わされた補強板２３と、パネル支持部２４とを備えている。  底板２１と側板２２と補強板２３とには、それぞれ底板連結部２１ａ、側板連結部２２ａ、補強板連結部２３ａを備えており、水耕栽培用ベッド１を形成する際に底板連結部２１ａ、側板連結部２２ａ、補強板連結部２３ａは隣接する水耕栽培用ベッドユニット２に接着される。
補強板２３の上部には、パネル載置部２３ｐを備えており、植栽パネル６が載置される。
パネル支持部２４は、対向する補強板２３の間にもうけられており、側板２２と平行になるように底板２１から上方に向けて延び、その高さはパネル載置部２３ｐと略水平である。
【００１８】
端部壁３は、図４および図５に示すように、養液に接する面に水流抑止板３１を有し、また、上部を切り欠いてパネル用凹部３２が形成されている。
パネル用凹部３２の寸法は植栽パネル６の寸法に対応しており、パネル用凹部３２の幅は植栽パネル６の辺の内、水耕栽培用ベッド１に載置した際にベッドの長手方向と垂直な辺の長さと等しく、また端部壁３の上端からパネル用凹部３２の上端までは植栽パネル６の厚みと等しい。
【００１９】
植栽パネル６を水耕栽培用ベッド１上に載置すると、図４に示すように、各水耕栽培用ベッドユニット２のパネル載置部２３ｐとパネル支持部２４の少なくとも３か所で下から支持される。植物体７を載せた植栽パネル６は、植栽パネル６の自重と植物体の重さで下向きにたわんでくるが、３か所で支持されることでこの下向きのたわみが防止される。
【００２０】
また、補強板２３を側板２２に張り合わすことで、水耕栽培用ベッド１の側面を肉厚状にする効果がある。水耕栽培時には水耕栽培用ベッド１の内側に養液が供給され、水耕栽培用ベッドの側面には養液の水圧がかかるが、側面が肉厚状となることでこの応力が小さくなり、側板２２が外側にたわむのを防ぐことができる。
【００２１】
次に、図６−Ａ、図６−Ｂ、図６−Ｃ、図６−Ａ（２）および図６−Ｂ（２）を参照して、水耕栽培用ベッド１上における植栽パネル６の玉突き移動について解説する。
【００２２】
図６−Ａに示すように、水耕栽培用ベッド１には複数枚の植栽パネル６が載置されている。植栽パネル６の始端側の面は、図６−Ａ（２）に示すように、端部壁３のパネル用凹部３２にはまっている。
【００２３】
新しい植栽パネル６を載置する場合は、図６−Ｂおよび図６−Ｂ（２）に示すように、始端側のパネル用凹部３２に沿わせて新しい植栽パネル６を嵌めこみ、水耕栽培用ベッド１の終端側に向けて押し出す。
このとき、パネル載置部２３ｐが、水耕栽培用ベッド１の始端側から終端側まで連続して形成されており、植栽パネル６はこの連続したパネル載置部２３ｐ上を始端側から終端側に植栽パネル１枚分の距離を玉突き移動される。終端側に載置されていた植栽パネル６は、終端側の端部壁３のパネル用凹部３２に沿って水耕栽培用ベッド１の外部に押し出され、ここで収穫される。
【００２４】
植栽パネルの玉突き移動をスムーズにする観点から、パネル載置部２３ｐとパネル支持部２４と植栽パネル６の素材は摩擦係数が小さいものが好ましい。さらに、パネル載置部２３ｐに、例えば、摩擦低減用のテープ等を張って植栽パネル６の玉突き移動を補助することもできる。
【００２５】
次に養液の給排水について、図１、図２および図５を参照しつつ解説する。
【００２６】
一般的に、植物の生育の観点から、養液の成分は水耕栽培用ベッドの内部で均一であることが望ましく、一方向に長い水耕栽培用ベッドの場合、養液の流れはベッドに対し、水平方向であることが好ましい。
【００２７】
本実施形態では、図５に示すように、養液を給水する給水パイプ４が、水耕栽培用ベッド１の外部から、始端側の底板２１のパイプ孔２１ｈを通じて、水耕栽培用ベッド１の内部に導入される。このとき、パイプ孔２１ｈの直上に、端部壁３が有する水流抑止板３１がもうけられている。
【００２８】
水耕栽培用ベッド１内に流入した養液は、給水パイプ４を通じて水耕栽培用ベッド１の内部に流入するが、このとき水流は図５中に示した矢印のように水耕栽培用ベッド１の下から上向きとなる。端部壁３にもうけられた水流抑止板３１に衝突し、水流は水耕栽培用ベッド１の水平方向に変化し、水耕栽培用ベッド１で拡散する。
【００２９】
水耕栽培用ベッド１の終端側の底板２１にも、図１および図２に示すように、パイプ孔２１ｈがもうけられており、このパイプ孔２１ｈから排水パイプ５が水耕栽培用ベッド内に導入されている。水耕栽培用ベッド１内に拡散した養液は、この排水パイプ５を通じて外部に排出される。
【００３０】
水耕栽培用ベッド１の素材は、養液の成分によって変質しにくく、かつ溶け出して養液の成分に影響を与えにくいもの、例えば、硬質塩化ビニル等の合成樹脂などを用いる。これは、養液の成分が植物の生長に影響を与える因子であり、とくに、植物工場等の大規模栽培の場合は、計画的かつ安定した栽培と収穫量が求められるため、養液の成分の安定性が求められるためである。
【００３１】
なお、水耕栽培用ベッド１の作成に用いる水耕栽培用ベッドユニット２を、実施者は任意で増減し栽培スペースの大きさにあわせて水耕栽培用ベッド１の長さを変えることができる。
【００３２】
次に、図７および図８を参照して水耕栽培用ベッドユニットの連結部を解説する。図７は、水耕栽培用ベッドユニット２の斜視図であり、図８は図７中にIII線で示した部分を拡大した図である。
【００３３】
水耕栽培用ベッドユニット２は底板２１、側板２２、補強板２３はそれぞれ底板連結部２１ａ、側板連結部２２ａ、補強板連結部２３ａ備えている。底板連結部２１ａ、側板連結部２２ａ、補強板連結部２３ａはそれぞれ、隣接する水耕栽培用ベッドユニット２と接する底板当接面２１ｂ、側板当接面２２ｂ、補強板当接面２３ｂを持つ。
【００３４】
図８に示すように、底板当接面２１ｂ、側板当接面２２ｂ、補強板当接面２３ｂの辺のうち、水耕栽培用ベッド１の内側にあたる辺を削って底板接着用ミゾ２１ｄ、側板接着用ミゾ２２ｄ、補強板接着用ミゾ２３ｄが形成されている。また、補強板当接面２３ｂの上端部には、面取り加工を施して補強板カット部２３ｃが形成されている。
【００３５】
水耕栽培用ベッドユニット２同士を連結する際には、底板接着用ミゾ２１ｄ、側板接着用ミゾ２２ｄ、補強板接着用ミゾ２３ｄに接着剤や溶接を施す。この接着方法は、水耕栽培用ベッドユニット２の素材に応じて実施者により選択される。
【００３６】
水耕栽培用ベッドユニット２同士の高さに差が生じると、玉突き移動の際に植栽パネル６が終端側の補強板当接面２３ｂに衝突する恐れがあるが、補強板カット部２３ｃを設けることでこれを回避することができる。
【００３７】
以上、実施の形態を挙げて本願発明を説明したが、本願発明は上記実施の形態に限定されるものではなく、種々変形可能である。
【産業上の利用可能性】
【００３８】
植物工場等に設置されてレタス等の水耕栽培を行う分野、とりわけ数千株から数万株の栽培を行う大規模な植物工場において広く利用可能である。
【符号の説明】
【００３９】
１  水耕栽培用ベッド
２  水耕栽培用ベッドユニット
２１  底板
２１ａ  底板連結部
２１ｂ  底板当接面
２１ｄ  底板接着用ミゾ
２１ｈ  パイプ孔
２２  側板
２２ａ  側板連結部
２２ｂ  側板当接面
２２ｄ  側板接着用ミゾ
２３  補強板
２３ａ  補強板連結部
２３ｂ  補強板当接面
２３ｃ  補強板カット部
２３ｄ  補強板接着用ミゾ
２３ｐ  パネル載置部
２４  パネル支持部
３  端部壁
３１  水流抑止板
３２  パネル用凹部
４  給水パイプ
５  排水パイプ
６  植栽パネル
７  植物体
【手続補正書】
【提出日】平成28年11月24日(2016.11.24)
【手続補正１】
【補正対象書類名】特許請求の範囲
【補正対象項目名】請求項２
【補正方法】変更
【補正の内容】
【請求項２】
前記側板および前記底板が有する当接面の辺のうち、水耕栽培用ベッドの内側にあたる辺には、接着剤又は溶接が施される側板接着用ミゾおよび底板接着用ミゾが形成されている、
ことを特徴とする請求項１に記載の水耕栽培用ベッド。